(57)【要約】      （修正有）【課題】初めて花壇や庭の植栽デザインをする人のデザインイメージのアウトプットやエスキスを補助し、同時に園芸経験の違いのある人達の間でデザインについて話し合う際の情報伝達の補助をする植栽デザインツールを提供する。【解決手段】デザインに必要な周辺状況と、花を植える間隔を示すグリッドを描きこんだ簡略な対象花壇平面図をカラー印刷しラミネート加工した植栽デザインシート１に、前記植栽デザインシートの中で対象花壇において色彩の塊として見える最小の面積を表すセロハンピース９、１０、１１と、前記セロハンピースの色と対応するように作成した使用花材を示す使用花材カード１２を設けたことを特徴とする。【選択図】図１
0003198122.tif 000002
【実用新案登録請求の範囲】
【請求項１】
花を植える間隔を示すグリッドを描きこんだ簡略な対象花壇平面図と図案化した花壇や庭の植栽のデザインに必要な周辺状況を描きカラー印刷した用紙をラミネート加工した植栽デザインシート（１）と、前記植栽デザインシートの中で対象花壇において色彩の塊として見える最小の面積を表す丸形、三角形、四角形のセロハンピース（９）（１０）（１１）と、前記セロハンピースの色と対応するセロハンを中敷きにしてカード１枚につき１種類の花材の写真と草丈を印刷した紙とを表側に入れ、写真の高さを草丈の比に合わせて変え、裏側に花名など説明書きを印刷した紙を入れ、ラミネート加工した使用花材を示す使用花材カード（１２）により構成される植栽デザインツール
【考案の詳細な説明】
【技術分野】
【０００１】    本考案は初めて花壇や庭の植栽デザインをする人のデザインイメージのアウトプットやエスキスを補助し、同時に園芸経験の違いのある人達の間でデザインについて話し合う際の情報伝達の補助をする植栽デザインツールであるセロハナに関するものである。
【背景技術】
【０００２】  従来、花壇や庭の植栽デザインと園芸経験に違いのある人達の間での情報伝達は言葉と図面やコンピュータの専門ソフトウェアにより行われていた。
【考案の概要】
【考案が解決しようとする課題】
【０００４】  これは次のような欠点があった。
（イ）従来、花壇や庭の植栽デザインやそれを人へ伝達するには植物や園芸に関する知識が必要であり知識を持たない人には難しい。
（ロ）花壇や庭は依頼人により業者がつくる場合や、市民活動で公共花壇づくりをする場合など状況は様々あるが、いずれも知識と経験の違いのある人の間で専門用語を含む言葉と図面を使ってのやりとりは難しい。
（ハ）近年は地域住景観についての取り組みの一つに市民活動による公共花壇づくりが行われるが植物や園芸知識の必要やそのことへの認識が参加者の幅を狭めている。
【課題を解決するための手段】
【０００５】  デザインに必要な周辺状況と、花を植える間隔を示すグリッドを描きこんだ簡略な対象花壇平面図をカラー印刷しラミネート加工した植栽デザインシート（１）に、前記植栽デザインシートの中で対象花壇において色彩の塊として見える最小の面積を表すセロハンピース（９）（１０）（１１）前記セロハンピースの色と対応するように作成した使用花材を示す使用花材カード（１２）を設ける。
本考案は以上の構成によりなるセロハナである。
【考案の効果】
【０００６】  （イ）植物や園芸の知識を持たない人が花壇や庭のデザインイメージをアウトプットできる。
（ロ）植物や園芸の知識や経験の違いのある人の間でのやりとりがスムーズにできる。
（ハ）従来よりも広い年齢層や体力状況の人が花壇や庭のデザインに触れることができる。
（ニ）使用する花を示すカードを事前に選択するので植栽として問題なく実現する。
（ホ）カラーコピー等により植え付け図面としてもなんらさしつかえない。
（ヘ）業者などの専門家と専門家でない人の間で庭や花壇のデザインについて相談する際や、園芸の知識や経験の違う複数の人達で花壇づくりをする市民活動やワークショップの場において個人でデザインをしたり皆で話しあったりする際に使用できる。
【図面の簡単な説明】
【０００７】
【図１】  本考案の使用図である。
【図２】  本考案の植栽デザインシート（１）の斜視図である。
【図３】  本考案の植栽デザインシートの（１）断面斜視図である。
【図４】  本考案のセロハンピース（９）（１０）（１１）の斜視図である。
【図５】  本考案の使用花材カード（１２）の斜視図である。
【図６】  本考案の使用花材カード（１２）の断面斜視図斜視図である。
【考案の実施をするための形態】
【０００８】  以下、考案の実施をするための形態について説明する。
植栽デザインシート（１）は花を植える間隔を示すグリッド（２）を描きこんだ対象花壇の簡略な平面図（３）とその植栽デザインに必要な周辺状況である設置物（４）、園路（５）、樹木（６）などを描きカラー印刷した用紙（７）を、耐久性とセロハンピース（９）（１０）（１１）との静電気による貼り付きの利便性を上げるため、ラミネート加工（８）する。セロハンピース（９）（１０）（１１）は前記植栽デザインシート（１）の中で対象花壇において色彩の塊として見える最小の面積とする。形は丸形（９）、三角形（１０）、四角形（１１）の３種類とする。使用花材を示す使用花材カード（１２）は前記セロハンピース（９）（１０）（１１）の色と対応するように作成する。使用花材カード（１２）は１枚につき１種類の花材の写真を草丈の比に合わせて高さを変え（１３）草丈を印刷した用紙（１４）と共にセロハンを中敷き（１５）に表側に入れる。中敷きにセロハンを使用するのは視覚的にセロハンピース（９）（１０）（１１）との繋がりを持たせるためである。裏側に花名など説明書きを印刷した用紙（１６）を入れる。植栽デザインシート（１）やセロハンピース（９）（１０）（１１）との視覚的また触覚的な繋がりを持たせるためラミネート加工（８）する。
本考案は以上のような構造である。
本考案を使用するときは使用花材カード（１２）より自分の使いたい花を選び、同じ色のセロハンピース（９）（１０）（１１）から使いたい形を使いたい枚数選び、植栽デザインシート（１）の上に並べたり重ねたりすればよい。
植物や園芸の知識を持たない人も自分のデザインのイメージをアウトプットすることができる。
エスキスが容易である。
他の人への伝達ができる。
植物や園芸の知識や経験の違いがある人達の間での伝達が容易である。
児童や体力的に園芸が困難な人もデザインから庭や花壇づくりへの参加ができる。
現実の花壇や庭のデザインをつくることができる。
作成されたデザインをカラーコピー等により植え付け図面としてもなんらさしつかえない。
【符号の説明】
【０００９】    １植栽デザインシート
２花を植える間隔を示すグリッド
３簡略な対象花壇の平面図
４設置物
５園路
６樹木
７は２、３、４、５、６を描きカラー印刷した用紙
８ラミネート加工
９セロハンピース丸形
１０セロハンピース三角形
１１セロハンピース四角形
１２使用花材カード
１３草丈の比で高さを変えた花材の写真
１４草丈を印刷した用紙
１５セロハンの中敷き
１６カード裏面に入れた花名などの説明書きを印刷した用紙
【図１】
0003198122.tif 000003
【図２】
0003198122.tif 000004
【図３】
0003198122.tif 000005
【図４】
0003198122.tif 000006
【図５】
0003198122.tif 000007
【図６】
0003198122.tif 000008